(57)【要約】【課題】  操作性を確保しかつ、小型で耐久性の高い操作部材を備えた表示制御装置を提供する。【解決手段】  画像の撮影または再生に係る操作を行うポインティングデバイスを有する表示制御装置であって、選択操作に係る入力を行う第１の面に配置された選択操作部と、決定操作に係る入力を行う上記第１の面とは異なる面に設けられた決定操作部とを少なくとも有するポインティングデバイス（２３）と、上記ポインティングデバイスの入力に基づいて操作入力制御を行う操作入力制御手段（５０）と、上記表示制御装置を操作するために上記選択操作部と上記決定操作部に対応した位置に操作に係る表示を行う操作部表示手段（２１）とを備えた表示制御装置である。【選択図】    図４
2006197119.tif 000002
【特許請求の範囲】
【請求項１】
画像の撮影または再生に係る操作を行うポインティングデバイスを有する表示制御装置であって、
選択操作に係る入力を行う第１の面に配置された選択操作部と、決定操作に係る入力を行う上記第１の面とは異なる面に設けられた決定操作部とを少なくとも有するポインティングデバイスと、
上記ポインティングデバイスの入力に基づいて操作入力制御を行う操作入力制御手段と、
上記表示制御装置を操作するために上記選択操作部と上記決定操作部に対応した位置に操作に係る表示を行う操作部表示手段と
を備えたことを特徴とする表示制御装置。
【請求項２】
上記決定操作部は、上記選択操作部の略中央位置に配置されたことを特徴とする請求項１に記載の表示制御装置。
【請求項３】
上記選択操作部は、上記決定操作部の周囲に配置されたことを特徴とする請求項１に記載の表示制御装置。
【請求項４】
上記決定操作部は、複数設けられ、それぞれの決定操作部の操作に応じて異なる決定入力を行うようになされたことを特徴とする請求項１に記載の表示制御装置。
【請求項５】
上記選択操作部は、少なくとも２つの異なる選択操作を独立して行うようになされるとともに、上記決定操作部は、上記選択操作部の複数の選択操作に対して共通の操作で決定入力を行うようになされたことを特徴とする請求項１に記載の表示制御装置。
【請求項６】
上記選択操作部は、３つの異なる選択操作を独立して行うようになされるとともに、上記決定操作部は、上記選択操作部の複数の選択操作に対して共通の操作で決定入力を行うようになされたことを特徴とする請求項１に記載の表示制御装置。
【請求項７】
上記決定操作部は、上記選択操作部に対して奥まった位置に配置されることを特徴とする請求項１に記載の表示制御装置。
【請求項８】
上記選択操作部と上記決定操作部とを一体のユニットで構成したことを特徴とする請求項１に記載の表示制御装置。
【請求項９】
前記操作入力制御手段は、前記決定操作の入力に応じて選択結果を確定するかまたは選択結果をロックすることを特徴とする請求項１に記載の表示制御装置。
【請求項１０】
前記操作入力制御手段は、撮影時には前記選択操作の入力に応じて撮影時の手動操作設定の更新、変倍操作のうちの少なくとも一つの操作を行うようになされたことを特徴とする請求項１に記載の表示制御装置。
【請求項１１】
前記操作入力制御手段は、再生時には前記選択操作の入力に応じて画像の回転、コマ送り、メニュースクロールのうちの少なくとも一つの操作を行うようになされたことを特徴とする請求項１０に記載の表示制御装置。
【請求項１２】
前記操作入力制御手段は、撮影時には前記決定操作の入力に応じて選択された撮影機能の決定またはロックを行い、再生時には前記決定操作の入力に応じて選択された再生機能の決定を行うことを特徴とする請求項１に記載の表示制御装置。
【発明の詳細な説明】
【技術分野】
【０００１】
本発明は、操作性を確保しかつ、小型で耐久性の高い操作部材を備えた表示制御装置に関する。
【背景技術】
【０００２】
デジタルカメラには、デジタル技術を活かして多くの様々な機能が搭載されている。しかしながら、種々の機能が実現可能となっている反面、その機能を使用するための操作パネルには、搭載した機能に見合う多数の操作ボタンが必要とされる。
【０００３】
特許文献１には、液晶表示パネルの上にタッチパネルを配置し、タッチパネルには動作モードに対応して、表示に隣接してプラス・マイナスキーを設定する技術が開示されている。この技術によれば、操作のための表示を視覚的に確認できるため操作が容易に行えるとしている。
【０００４】
特許文献２には、液晶表示装置にダイアルを設けると共に、このダイアルの周囲に目盛り表示部を設け、目盛り表示部の表示内容をカメラモードに合わせて変更する技術が開示されている。この技術では、設定内容毎に必要とされるダイアルの数を１つで行うことを可能にしている。
【特許文献１】特開２０００−２５３２８８号公報
【特許文献２】特開２００１−８３５５９号公報
【発明の開示】
【発明が解決しようとする課題】
【０００５】
ところで、カメラのような携帯機器の場合、小型化が要求されると共に、操作性の良さ、耐久性の高さも重要となる。
【０００６】
しかしながら、特許文献１に記載の技術では、オン／オフ動作には適用することができるが、スライドなどのアナログ的に調整する操作に適用するには不十分である。また特許文献２に記載の技術では、ダイアルはステップ的に操作するものであるため、上述の操作と同様にスライドなどのアナログ的に調整する操作に適用できるかどうかは不明であると共に、メカニカルにダイアルの回転を検知する方式であるため耐久性の点で問題が生ずる恐れがある。
【０００７】
本発明は係る事情に鑑みてなされたものであって、操作性を確保しかつ、小型で耐久性の高い操作部材を備えた表示制御装置を提供することを目的とする。
【課題を解決するための手段】
【０００８】
上記課題を解決するための、本発明に係る請求項１に記載の表示制御装置は、画像の撮影または再生に係る操作を行うポインティングデバイスを有する表示制御装置であって、選択操作に係る入力を行う第１の面に配置された選択操作部と、決定操作に係る入力を行う上記第１の面とは異なる面に設けられた決定操作部とを少なくとも有するポインティングデバイスと、上記ポインティングデバイスの入力に基づいて操作入力制御を行う操作入力制御手段と、上記表示制御装置を操作するために上記選択操作部と上記決定操作部に対応した位置に操作に係る表示を行う操作部表示手段とを備えた。
【０００９】
また本発明に係る請求項２に記載の表示制御装置は、上記記載の発明である表示制御制御装置において、上記決定操作部は、上記選択操作部の略中央位置に配置された。
【００１０】
また本発明に係る請求項３に記載の表示制御装置は、上記記載の発明である表示制御制御装置において、上記選択操作部は、上記決定操作部の周囲に配置された。
【００１１】
また本発明に係る請求項４に記載の表示制御装置は、上記記載の発明である表示制御制御装置において、上記決定操作部は、複数設けられ、それぞれの決定操作部の操作に応じて異なる決定入力を行うようになされた。
【００１２】
また本発明に係る請求項５に記載の表示制御装置は、上記記載の発明である表示制御制御装置において、上記選択操作部は、少なくとも２つの異なる選択操作を独立して行うようになされるとともに、上記決定操作部は、上記選択操作部の複数の選択操作に対して共通の操作で決定入力を行うようになされた。
【００１３】
また本発明に係る請求項６に記載の表示制御装置は、上記記載の発明である表示制御制御装置において、上記選択操作部は、３つの異なる選択操作を独立して行うようになされるとともに、上記決定操作部は、上記選択操作部の複数の選択操作に対して共通の操作で決定入力を行うようになされた。
【００１４】
また本発明に係る請求項７に記載の表示制御装置は、上記記載の発明である表示制御制御装置において、上記決定操作部は、上記選択操作部に対して奥まった位置に配置される。
【００１５】
また本発明に係る請求項８に記載の表示制御装置は、上記記載の発明である表示制御制御装置において、上記選択操作部と上記決定操作部とを一体のユニットで構成した。
【００１６】
また本発明に係る請求項９に記載の表示制御装置は、上記記載の発明である表示制御制御装置において、前記操作入力制御手段は、前記決定操作の入力に応じて選択結果を確定するかまたは選択結果をロックする。
【００１７】
また本発明に係る請求項１０に記載の表示制御装置は、上記記載の発明である表示制御制御装置において、前記操作入力制御手段は、撮影時には前記選択操作の入力に応じて撮影時の手動操作設定の更新、変倍操作のうちの少なくとも一つの操作を行うようになされた。
【００１８】
また本発明に係る請求項１１に記載の表示制御装置は、上記記載の発明である表示制御制御装置において、前記操作入力制御手段は、再生時には前記選択操作の入力に応じて画像の回転、コマ送り、メニュースクロールのうちの少なくとも一つの操作を行うようになされた。
【００１９】
また本発明に係る請求項１２に記載の表示制御装置は、上記記載の発明である表示制御制御装置において、前記操作入力制御手段は、撮影時には前記決定操作の入力に応じて選択された撮影機能の決定またはロックを行い、再生時には前記決定操作の入力に応じて選択された再生機能の決定を行う。
【発明の効果】
【００２０】
本発明によれば、操作性を確保しかつ、小型で耐久性の高い操作部材を備えた表示制御装置を提供することができる。
【発明を実施するための最良の形態】
【００２１】
まず、本発明に係る表示制御装置で使用するポインティングデバイスであるタッチパネルについて説明する。
【００２２】
図１は、抵抗膜方式のタッチパネルの原理を説明する図である。タッチパネルは、ガラスとそのガラスを覆う透明のフィルムで構成されている。このガラスとフィルムの対向するそれぞれの面には透明導電物質であるＩＴＯ（インジュウム錫酸化物）が電極格子を形成して設けられている。
【００２３】
通常では、ガラスとフィルムとは離れているが、フィルムを指またはペン等で押し下げることにより、ガラスとフィルムとの導電膜が接触して導通回路が形成される。従って、ガラス面とフィルム面のそれぞれの電極格子の抵抗による分圧を測定することで、押された平面内の位置（ＸＹ座標）を検出することができる。
【００２４】
このタッチパネルを複数の操作部位を配置して表示する表示部（例えば、ＴＦＴ液晶）上に設け、上述の方法によって押された位置を検出することで、ユーザが操作した部位を特定することができる。即ち、タッチパネルなどのポインティングデバイスは表示部と組み合わせることにより所定の操作機能を有する操作入力手段として使用することができる。また、表示部は、例えば、ＴＦＴ液晶の他に、電源を切っても表示画像が消えないメモリ性液晶表示素子を用いても良い。
【００２５】
なお、本発明で使用するタッチパネルは、ここで説明した抵抗膜方式に限られず、公知のタッチパネルである、超音波表面弾性波方式、赤外線遮光方式、静電容量方式、電磁誘導方式のタッチパネルを用いても良い。
【００２６】
以下、デジタルカメラを例として、本発明に係る表示制御装置の種々の実施の形態について説明する。
【００２７】
［第１の実施の形態］
図２は、第１の実施の形態の表示制御装置を備えたデジタルカメラ１の構成を示すブロック図である。
【００２８】
デジタルカメラ１は、撮影レンズ系１１、撮像素子１２、撮像回路１３、ＡＥ１５、ＡＦ１６、画像処理回路１７、着脱メモリ１８、表示部２１、表示駆動回路２２、タッチパネル２３、内蔵メモリ２５、パワーＳＷ２６、モードＳＷ２７、操作部材２８、ＣＰＵ３０、電池３１及び電源回路３２を備えている。
【００２９】
撮影レンズ系１１はズーム光学系、絞り部、オートフォーカス光学系などを備えている。撮像素子１２は、例えば数百万画素からなる受光部を有し、撮影レンズ系１１を介して入射した被写体像を電気信号に変換する。撮像回路１３は、ＡＧＣ（自動利得制御）処理、及びＣＤＳ（相関２重サンプリング）処理などの信号処理を画像データに施す。ＡＥ１５は、画像データを基に自動露出演算を実行する。ＡＦ１６は、画像データを基に自動焦点演算を実行する。
【００３０】
画像処理回路１７ではＹ（輝度）／Ｃ（色）生成処理、適切な色バランスを有するＲＧＢ信号に関する色マトリクス処理等の処理が施される。着脱メモリ１８は、画像データを格納する記録媒体である。
【００３１】
表示部２１は、タッチパネル用の複数の操作部位を配置して表示する。表示駆動回路２２は、表示部２１の表示動作を制御する。タッチパネル２３は、ユーザが操作した平面上の位置を検知する。入力部２４は、表示部２１、表示駆動回路２２、タッチパネル２３を組み合わせることにより構成され、操作入力手段として機能することができる。
【００３２】
内蔵メモリ２５は、種々のデータを保存する。パワーＳＷ２６は、デジタルカメラ１の電源をオン／オフする。モードＳＷ２７は、ユーザを特定するための情報（初心者、上級者）、デジタルカメラの動作モード（通信モード、再生モード、撮影モード）を入力するためのスイッチである。操作部材２８は、レリーズボタンなど所定の機能を専用に操作するための部材である。
【００３３】
ＣＰＵ３０は、デジタルカメラ１の動作を統括して制御する。電池３１、電源回路３２は、デジタルカメラ１の各部に電源を供給する。
【００３４】
次に、第１の実施の形態に係る表示制御装置の動作について説明する。
【００３５】
図３は、デジタルカメラ１を背面から見た図である。デジタルカメラ１の背面には入力部２４、液晶モニタ３５、ファインダ３６が設けられ、デジタルカメラ１の上面にはレリーズボタン３７が備えられている。
【００３６】
そして、入力部２４には、操作ボタン６０が表示され、この他に、撮像に関する基本機能である「フラッシュ」、「セルフタイマ」、「マクロ」を操作するボタン、撮像に関する機能である「ドライブ」、「測光」、「露出補正」、「ＩＳＯ」を操作するボタンが表示される。また、デジタルカメラ１の各種機能の選択／決定操作を行うための「十字キー」、「メニュー」、「決定」ボタンが表示される。
【００３７】
ここで、操作ボタン６０は、立体形状をなし、アナログ的に調整操作を実現できるように構成されている。そして、この操作ボタン６０にはズーム操作を行う機能が割り付けられている。
【００３８】
図４は、操作ボタン６０の構成を示す横断面図である。
【００３９】
デジタルカメラ１の背面には、信号処理基板５０が設けられ、その信号処理基板５０の上に保護カバー５１、タッチパネル２３、表示部２１及びベース部材５２が積層されている、
信号処理基板５０には、表示部２１の表示動作を制御する表示制御回路２２と、タッチパネル２３の位置信号を検知するインターフェース回路とが設けられている。保護カバー５１は、タッチパネル２３を汚れ、疵から守るための透明の部材である。表示部２１は、例えば、有機ＥＬ等の屈曲性のある面表示可能な材質を用いて構成されている。ベース部材２２は、操作ボタン６０の立体形状を形成する。なお、ベース部材２２は、指またはペン先で操作ボタン６０を操作したときは適度の弾力性を与えるような材質を用いることが望ましい。
【００４０】
図５は、操作ボタン６０の断面形状を示す図である。
【００４１】
操作ボタン６０の外形は、周辺部が凸で、中央部が凹の形状をなしている。図５において、小丸で示した点は電極の位置を表し、指などで接触されたことを検知する位置を示している。
【００４２】
この操作ボタン６０の周辺の凸部を左右に撫でる操作でズーム操作を行うことができる。そして、中央の凹部を接触すると画角が固定される。画角が固定された状態では、凸部を操作しても画角は変化しない。再度、凹部を接触すると画角の固定が解除されて、ズーム操作が可能となる。図６には、ズーム操作を行った状態を示している。液晶モニタ３５には、図３と比べて風景が拡大して表示されている。
【００４３】
このように、第１の実施の形態の表示制御装置に用いられる操作ボタン６０では、中央の凹部の接触で決定的な設定が行え、周辺の凸部を撫でる操作で調整操作を行うことができる。従って、この操作ボタン６０は上述の例に限られず、例えば、メニューをスクロール表示し、その表示を確定操作する場合にも使用することができる。
【００４４】
図７は、メニュー表示選択操作の処理手順を示すフロー図である。以下、この処理手順を、図３の背面図を参照しつつ説明する。なお、上述の操作ボタン６０はメニュー表示操作を行う機能を付与されているものとする。
【００４５】
ステップＳ０１において、デジタルカメラ１の電源が投入されたときは、ＣＰＵ３０は各種の初期設定を実施する。例えば、テーブルの値をデフォルトの値に設定し、あるいは前回の設定状態を復元する。そして、ステップＳ０２で撮影操作を待機する状態になる。
【００４６】
ステップＳ０３〜Ｓ０４において、メニューボタンが押されたときは、液晶モニタ３５にメニューを表示する。ステップＳ０５〜Ｓ０７において、指が凸部に接触しつつ移動したことを検知したときは、その移動量に応じてメニュー表示をスクロールして表示する。そして、ステップＳ０８〜Ｓ０９において、指が凹部に接触したことを検知したときは、その状態でメニュー表示のスクロールを停止して固定する。
【００４７】
また、再度メニューボタンが押されたときは、メニュー表示動作を終了して、ステップＳ０２で撮影操作を待機する状態になる。そして、パワーがオフされたときは本処理を終了する。
【００４８】
この第１の実施の形態によれば、次の効果が期待できる。
【００４９】
ａ．操作部位を立体形状とし、選択操作機能と決定操作機能とを備えたことで、メカ部がなく且つ操作性の良いスイッチとなる。
【００５０】
ｂ．更に選択部と決定部の形状を変えることによって確実に操作できる。
【００５１】
ｃ．更に他の操作部材と一体的に形成することでユニット化できる。
【００５２】
なお操作ボタンの形状は上述の例に限定されず、種々のバリエーションのデザインを自由に設計することができる。
【００５３】
〔第１の実施の形態のバリエーション１〕
図８は、バリエーションに係る操作ボタン６０の構成を示す図である。この操作ボタン６０は中央部にＯＫボタン３１を備えている点で第１の実施の形態と異なっている。ここで、図中の×印は電極の位置を示している。なお、操作ボタン６０は立体形状、平面形状のいずれであっても良い。
【００５４】
図９は、メニュー表示選択操作の処理手順を示すフロー図である。以下、この処理手順を、図３の背面図を参照しつつ説明する。なお、上述の操作ボタン６０はメニュー表示操作を行う機能を付与されているものとする。
【００５５】
ステップＳ１５において、デジタルカメラ１の電源が投入されたときは、ＣＰＵ３０は各種の初期設定を実施する。例えば、テーブルの値をデフォルトの値に設定し、あるいは前回の設定状態を復元する。そして、ステップＳ１６で撮影操作を待機する状態になる。
【００５６】
ステップＳ１７〜Ｓ１８において、メニューボタンが押されたときは、液晶モニタ３５にメニューを表示する。ステップＳ１９〜Ｓ２０において、指が電極に接触しつつ移動したことを検知したときは、その移動量に応じてメニュー表示を変更して表示する。そして、ステップＳ２１〜Ｓ２２において、ＯＫボタン６１を押し下げたことを検知したときは、その状態でメニュー表示を固定する。
【００５７】
また、再度メニューボタンが押されたときは、ステップＳ２３でメニュー表示動作を終了して、ステップＳ１６で撮影操作を待機する状態になる。そして、ステップＳ２４においてパワーがオフされたときは本処理を終了する。
【００５８】
〔第１の実施の形態のバリエーション２〕
図１０は、バリエーションに係る操作ボタン６０の構成を示す図である。この操作ボタン６０は中心部分に４分割した円部６２を設けるとともに、その周囲に所定幅の環状帯６３を備えている。そして、円部６２の分割したそれぞれの部位と環状帯６３に電極を配している。なお、操作ボタン６０は、平面形状に限らず、図１１に示すように立体形状であっても良い。
【００５９】
この操作ボタン６０では、円部６２の分割した部位に接触することで決定的な設定が行え、周辺の環状帯６３を撫でる操作で調整操作を行うことができる。例えば、環状帯６３を撫でる操作でデジタルカメラ１のフォーカス移動、画像の回転操作などを行うことができる。
【００６０】
また、この操作ボタン６０では、複数の機能を択一的に選択する操作を行うことができる。
【００６１】
図１２は、４種のメニューを選択する操作の処理手順を示すフロー図である。以下、この処理手順を、図３の背面図を参照しつつ説明する。なお、上述の操作ボタン６０は４つのメニューを択一的に選択するための機能を付与されているものとする。
【００６２】
ステップＳ２８において、デジタルカメラ１の電源が投入されたときは、ＣＰＵ３０は各種の初期設定を実施する。例えば、テーブルの値をデフォルトの値に設定し、あるいは前回の設定状態を復元する。そして、ステップＳ２９で撮影操作を待機する状態になる。
【００６３】
ステップＳ３０〜Ｓ３１において、メニューボタンが押されたときは、円部６２の分割した４つの領域にメニューの名称を表示すると共に、液晶モニタ３５に４種のメニューの内いずれかのメニューを表示する。ステップＳ３２〜Ｓ３３において、指が環状帯の電極に接触しつつ移動したことを検知したときは、その移動量に応じて４択メニュー表示を変更して表示する。そして、それと共に、円部６２の分割した領域の色を変更するなどにより、いずれのメニューが選択されているかを明示する。そして、ステップＳ３４〜Ｓ３５において、円部６２の分割した４つの領域のいずれかを押し下げたことを検知したときは、その押されたキーに対応するメニューを表示して固定する。
【００６４】
また、再度メニューボタンが押されたときは、ステップＳ３６でメニュー表示動作を終了して、ステップＳ２９で撮影操作を待機する状態になる。そして、ステップＳ３７においてパワーがオフされたときは本処理を終了する。
【００６５】
〔第１の実施の形態のバリエーション３〕
図１３は、バリエーションに係る操作ボタン６０の構成を示す図である。この操作ボタン６０は十字キーを立体とした形状をしている。図１４は、操作を検知する部位を説明する図である。４方向を表す十字の各部（Ａ，Ｂ，Ｃ，Ｄ）は凸形状である。そしてその十字の各部の端面（Ｉ，Ｊ，Ｋ，Ｌ）にも電極が設けられている。また、十字の中央部（ＯＫ）と十字と交差する方向の部位（Ｅ，Ｆ，Ｇ，Ｈ）は、凹形状（または平面）である。この操作ボタン６０は、従来の十字キーの機能を拡張した操作を提供することができる。
【００６６】
図１５は、十字キー操作の処理手順を示すフロー図である。以下、この処理手順を、図３の背面図を参照しつつ説明する。なお、上述の操作ボタン６０は、メニュー内のカーソルを操作するための機能を付与されているものとする。
【００６７】
ステップＳ４１において、デジタルカメラ１の電源が投入されたときは、ＣＰＵ３０は各種の初期設定を実施する。例えば、テーブルの値をデフォルトの値に設定し、あるいは前回の設定状態を復元する。そして、ステップＳ４２で撮影操作を待機する状態になる。
【００６８】
ステップＳ４３において、メニューボタンが押されたときは、液晶モニタ３５にメニュー画面を表示して、カーソル操作の待機状態となる。ステップＳ４４〜Ｓ４５において、十字キー（Ａ，Ｂ，Ｃ，Ｄ）のいずれかが押されたことを検知すると、その押された方向（上下左右）にメニュー内カーソルを移動する。そして、ステップＳ４６〜Ｓ４７において、ＯＫが押されたときは、そのカーソルの位置を確定する。
【００６９】
ステップＳ５０〜Ｓ５１において、凹部（Ｅ，Ｆ，Ｇ，Ｈ）のいずれかが押されたことを検知すると、その押された方向（斜め方向）にメニュー内カーソルを移動する。そして、ステップＳ５２〜Ｓ５３において、ＯＫが押されたときは、そのカーソルの位置を確定する。
【００７０】
ステップＳ５６〜Ｓ５７において、端部（Ｉ，Ｊ，Ｋ，Ｌ）のいずれかが押されたことを検知すると、その押された方向（上下左右）にメニュー内カーソルを高速で移動する。そして、ステップＳ５８〜Ｓ５９において、ＯＫが押されたときは、そのカーソルの位置を確定する。
【００７１】
また、再度メニューボタンが押されたときは、メニュー表示動作を終了して、ステップＳ４２で撮影操作を待機する状態になる。そして、ステップＳ６０においてパワーがオフされたときは本処理を終了する。
【００７２】
なお、このバリエーションに係る操作ボタン６０を用いれば、画像の再生操作において便利な使い方ができる。例えば、左右の十字キー（Ｂ，Ｄ）を押したときは１コマづつ画像を更新して表示し、左右の端部（Ｊ、Ｌ）を押したときは１０コマごとに画像を飛ばして更新して表示することができる。
【００７３】
〔第１の実施の形態のバリエーション４〕
図１６は、バリエーションに係る操作ボタン６０の構成を示す図である。この操作ボタン６０は内側に十字キー（６５、６６）を設けるとともに、その周囲に所定幅の環状帯６８を備えている。
【００７４】
図１７は、バリエーションに係る操作ボタン６０による操作の処理手順を示すフロー図である。以下、この処理手順を、図３の背面図を参照しつつ説明する。なお、上述の操作ボタン６０は、画像の再生を操作するための機能を付与されているものとする。
【００７５】
ステップＳ６５において、デジタルカメラ１の電源が投入されたときは、ＣＰＵ３０は各種の初期設定を実施する。例えば、テーブルの値をデフォルトの値に設定し、あるいは前回の設定状態を復元する。そして、ステップＳ６６で撮影操作を待機する状態になる。
【００７６】
ステップＳ６７〜Ｓ６８において、再生モードが指示されたときは、液晶モニタ３５に撮影画像を表示して、操作ボタン６０の操作を待機する状態となる。ステップＳ６９〜Ｓ７０において、上下キー６５のいずれかが押されたことを検知すると、その押されたキーに対応して、日を単位として画像のコマ送り／コマ戻しを実行する。ステップＳ７１〜Ｓ７２において、左右キー６６のいずれかが押されたことを検知すると、その押されたキーに対応して、月を単位として画像のコマ送り／コマ戻しを実行する。ステップＳ７３〜Ｓ７４において、環状帯６８を円周方向に指が接触して移動したときは、その移動量に対応して、年を単位として画像のコマ送り／コマ戻しを実行する。
【００７７】
そして、ステップＳ７５においてパワーがオフされたときは本処理を終了する。
【００７８】
なお、環状帯６８を円周方向に指が接触して移動したときは、表示されている画像をその指の移動に合わせて回転して表示しても良い。
【００７９】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００８０】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００８１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８２】
【図１】抵抗膜方式のタッチパネルの原理を説明する図。
【図２】第１の実施の形態の表示制御装置を備えたデジタルカメラの構成を示すブロック図。
【図３】デジタルカメラの背面図
【図４】操作ボタンの構成を示す横断面図。
【図５】操作ボタンの断面形状を示す図。
【図６】デジタルカメラの背面図。
【図７】メニュー表示選択操作の処理手順を示すフロー図。
【図８】操作ボタンの構成を示す図。
【図９】メニュー表示選択操作の処理手順を示すフロー図。
【図１０】操作ボタンの構成を示す図。
【図１１】操作ボタンの構成を示す図。
【図１２】４種のメニューを選択する操作の処理手順を示すフロー図。
【図１３】操作ボタンの構成を示す図。
【図１４】操作を検知する部位を説明する図。
【図１５】十字キー操作の処理手順を示すフロー図。
【図１６】操作ボタンの構成を示す図。
【図１７】操作ボタンによる操作の処理手順を示すフロー図。
【符号の説明】
【００８３】
１…デジタルカメラ、２１…表示部、２３…タッチパネル、２４…入力部、５０…基板、６０…操作ボタン、６２…円部、６３…環状帯、６５…十字キー、６６…十字キー、６８…環状帯。
【図１】
2006197119.tif 000003
【図２】
2006197119.tif 000004
【図３】
2006197119.tif 000005
【図４】
2006197119.tif 000006
【図５】
2006197119.tif 000007
【図６】
2006197119.tif 000008
【図７】
2006197119.tif 000009
【図８】
2006197119.tif 000010
【図９】
2006197119.tif 000011
【図１０】
2006197119.tif 000012
【図１１】
2006197119.tif 000013
【図１２】
2006197119.tif 000014
【図１３】
2006197119.tif 000015
【図１４】
2006197119.tif 000016
【図１５】
2006197119.tif 000017
【図１６】
2006197119.tif 000018
【図１７】
2006197119.tif 000019